(57)【要約】【課題】現地装柱品に対してもタップ位置覗き窓に保護カバーを容易に取り付けることができるようにした既設の配電用自動電圧調整器を提供することにある。【解決手段】タップ位置がケースの外から確認ができるようにタップ位置覗き窓がケースの側面に設けられている配電用自動電圧調整器を対象とし、窓枠取付座の外周には保護カバー固定金具がジュビリーバンドにより締付け固定されており、保護カバー固定金具は周方向の一部に切込み部を有するリング状金具と該リング状金具の上端部に対向して取付けられたボルト取付座と該ボルト取付座に固定された保護カバー支持用ボルトとからなり、保護カバー支持用ボルトに支持された状態でタップ位置覗き窓を覆う位置と前記タップ位置覗き窓を覆わない位置とが選択できるように透明部材の平坦面に沿って回動自在となる保護カバーが設けられるようにしたものである。【選択図】図１
2010080470.tif 000002
【特許請求の範囲】
【請求項１】
タップ付き変圧器本体と、前記タップ付き変圧器本体のタップ切換を行う負荷時タップ切換器と、前記負荷時タップ切換器と連動してタップ位置を機械的に表示するタップ位置表示板とが絶縁油に充填された状態でケース内に収容され、前記タップ位置がケースの外から確認ができるようにタップ位置覗き窓がケースの側面に設けられ、前記タップ位置覗き窓は、ケースの側部に形成された切り欠きの周縁に取り付けられた窓枠取付座に透明部材とパッキンと窓枠とを順次に介在させ、ボルトで締め付けることにより取り付けられた配電用自動電圧調整器において、
前記窓枠取付座の外周には、保護カバー固定金具がジュビリーバンドにより締付け固定されており、前記保護カバー固定金具は周方向の一部に切込み部を有するリング状金具と該リング状金具の上端部に対向させて取付けられたボルト取付座と該ボルト取付座に固定された保護カバー支持用ボルトとからなり、前記保護カバー支持用ボルトに支持された状態で前記タップ位置覗き窓を覆う位置と前記タップ位置覗き窓を覆わない位置とが選択できるように前記透明部材の平坦面に沿って回動自在となる保護カバーが設けられたこと
を特徴とする配電用自動電圧調整器。
【請求項２】
前記保護カバー固定金具に取付けられている前記２つの保護カバー支持用ボルトの一方に対応させてボルト貫通孔が形成され、該ボルト貫通孔に挿通される保護カバー支持用ボルトの軸回りに回動可能とすると共に、自然落下を阻止するように２つの保護カバー支持用ボルトの他方で係止させる円弧状の切込みが形成された保護カバーが、ナットを保護カバー支持用ボルトにそれぞれ螺合させて締付けることにより取付けられたこと
を特徴とする請求項１に記載の配電用自動電圧調整器。
【発明の詳細な説明】
【技術分野】
【０００１】
本発明は、保護板付きのタップ位置覗き窓が設けられた配電用自動電圧調整器に関するものである。
【背景技術】
【０００２】
配電用自動電圧調整器は特許文献１に示されるように、タップ付変圧器と、タップ付変圧器のタップ切換を行う負荷時タップ切換器と、負荷時タップ切換器と連動してタップ位置を機械的に表示するタップ位置表示板とを備え、これらは充填された絶縁油と共に絶縁油に充填された状態でケース内に収容されており、配電用自動電圧調整器の操作時、点検時の際に、タップ位置がケース外で確認ができるようにタップ位置覗き窓がケースの側面に設けられている。
【０００３】
上記配電用自動電圧調整器の従来のタップ位置覗き窓１は図５（Ａ）（Ｂ）に示すように、窓枠取付座２と透明部材３と窓枠４とパッキン５ａ,５ｂとからなる。窓枠取付座２は厚みが比較的大きい金属板を円形リング状に形成し、その円形の一方の平坦面をケース６に対向させた状態でケース６の側面に形成された円形状の切り欠き６ａの周縁に溶接により取り付けられており、円形の他方の平坦面には複数の窓枠取付用タップ穴７が周方向に所定間隔で形成されている。透明部材３はアクリル板等を円形状に形成し、窓枠４は金属板等を円形リング状に形成し、パッキン５ａ,５ｂは円形状に形成しており、窓枠４には窓枠取付座２に形成された窓枠取付用タップ穴７に対応させてボルト貫通孔８がそれぞれ形成されている。窓枠４は、窓枠取付座２にパッキン５ａと透明部材３とパッキン５ｂとを順次に介在させ、ボルト９を窓枠４に形成されたボルト貫通孔８に挿通させて窓枠取付用タップ穴７に螺合させて締め付けることにより取り付けられている。
【０００４】
近年、飛来物によってタップ位置覗き窓１の透明部材３が割れる事故や、ケース内に充填されている絶縁油は熱あるいは光などによって炭化水素が活性化され、酸化が進行するとされており、覗き窓に保護カバーを取り付ける必要性が増してきている。
【０００５】
従来の保護カバー付きのタップ位置覗き窓１は、図６（Ａ）（Ｂ）に示すように、窓枠４の平坦面に２つの保護カバー支持用ボルト１０ａ，１０ｂを起立させて溶接等により取り付け、２つの保護カバー支持用ボルト１０ａ，１０ｂに対応させてボルト貫通孔１１ａ，１１ｂが形成された保護カバー１２を、保護カバー支持用ボルト１０ａ，１０ｂに挿通させ、蝶ナット１２ａ，１２ｂによりそれぞれ締め付け、窓枠４全体を覆うように取り付けて構成されているか、あるいは、タップ位置覗き窓１を締付けている複数のボルト９のうち、任意の２つのボルト９を取り外し、このボルト９を取り外した後の２つの窓枠取付用タップ穴７に保護カバー支持用ボルト１０ａ，１０ｂをそれぞれ螺合させて取り付け、２つの保護カバー支持用ボルト１０ａ，１０ｂに対応させてボルト貫通孔１１ａ，１１ｂが形成された保護カバー１２を、保護カバー支持用ボルト１０ａ，１０ｂに挿通させ、蝶ナット１２ａ，１２ｂによりそれぞれ締め付け、窓枠４全体を覆うように取り付けて構成されていた。
【特許文献２】特開２００６−１７９６８０号公報（図１４）
【発明の開示】
【発明が解決しようとする課題】
【０００６】
しかしながら、従来の保護カバー付きのタップ位置覗き窓１を既設の配電用自動電圧調整器に適用する場合には、現地及び電柱上での溶接作業が必要となり、その作業が非常に煩雑となる。また、従来の保護カバー付きのタップ位置覗き窓１を既設及び新規製作の配電用自動電圧調整器に適用した場合には、保護カバー１２を外して透明部材３から内部を覗こうとする際、２つの蝶ナット１２ａ，１２ｂを完全に保護カバー支持用ボルト１０ａ，１０ｂからそれぞれ外し、保護カバー１２を保護カバー支持用ボルト１０ａ，１０ｂから外さなければならないために、保護カバー１２の着脱作業に手間と時間がかかる。また、電柱上で行う作業であり、保護カバー１２や蝶ナット１２ａ，１２ｂを落下させてしまう虞れがある。更に、既設の現地装柱品に対して保護カバー１２を取り付ける場合には絶縁油が充填されている状態で、任意の２つのボルト９を取り外す作業が伴うため、ボルト９を取り外した際に油漏れが発生することが懸念される。
【０００７】
本発明の目的は、タップ位置覗き窓を締付けているボルトを外すことなく、既設の現地装柱品に対してもタップ位置覗き窓に保護カバーを容易に取り付けることができるようにした既設の配電用自動電圧調整器を提供することにある。
【課題を解決するための手段】
【０００８】
第１の発明は、タップ付き変圧器本体と、前記タップ付き変圧器本体のタップ切換を行う負荷時タップ切換器と、前記負荷時タップ切換器と連動してタップ位置を機械的に表示するタップ位置表示板とが絶縁油に充填された状態でケース内に収容され、タップ位置がケースの外から確認ができるようにタップ位置覗き窓がケースの側面に設けられ、タップ位置覗き窓は、ケースの側部に形成された切り欠きの周縁に取り付けられた窓枠取付座に透明部材とパッキンと窓枠とを順次に介在させ、ボルトで締め付けることにより取り付けられた配電用自動電圧調整器を対象とし、窓枠取付座の外周には、保護カバー固定金具がジュビリーバンドにより締付け固定されており、保護カバー固定金具は周方向の一部に切込み部を有するリング状金具と該リング状金具の上端部に対向して取付けられたボルト取付座と該ボルト取付座に固定された保護カバー支持用ボルトとからなり、保護カバー支持用ボルトに支持された状態でタップ位置覗き窓を覆う位置と前記タップ位置覗き窓を覆わない位置とが選択できるように透明部材の平坦面に沿って回動自在となる保護カバーが設けられるようにしたものである。
【０００９】
第２の発明は、保護カバー固定金具に取付けられている２つの保護カバー支持用ボルトの一方に対応させてボルト貫通孔が形成され、該ボルト貫通孔に挿通される保護カバー支持用ボルトの軸回りに回動可能とすると共に、自然落下を阻止するように２つの保護カバー支持用ボルトの他方で係止させる円弧状の切込みが形成された保護カバーが、ナットを保護カバー支持用ボルトにそれぞれ螺合させて締付けることにより取付けられるようにしたものである。
【発明の効果】
【００１０】
以上のように、第１の発明によれば、既設の配電用自動電圧調整器に対し、溶接作業を全く行なうことなく、また、タップ位置覗き窓を締付けているボルトを外すことなくタップ位置覗き窓に保護カバーを取付けることができ、従来のタップ位置覗き窓に保護カバーを設ける作業を大幅に簡素化させることができると共に、油漏れが発生することが懸念されることを全くなくすことができる。更に、保護カバー付きのタップ位置覗き窓が設けられた既設および新規の配電用自動電圧調整器に対し、保護カバーの着脱作業を大幅に簡素化させることができると共に、保護カバーやナットの落下を防止させることができる
【００１１】
第２の発明によれば、第１の発明の効果に加えて、特に、従来のタップ位置覗き窓が設けられた既設の配電用自動電圧調整器に対し、このタップ位置覗き窓を簡単に改造させることができる。
【発明を実施するための最良の形態】
【００１２】
図１（Ａ）は本発明に係わる配電用自動電圧調整器の実施形態の要部を示す正面図、（Ｂ）は（Ａ）のＡ−Ａ線断面矢視図、図２は図１の保護カバーを回転させた状態を示す正面図、図３は本発明に係わる配電用自動電圧調整器の実施形態の要部を示す上面図、図４（Ａ）は本実施形態で用いる保護カバー固定金具を示す正面図、（Ｂ）は（Ａ）の左側面図、（Ｃ）は（Ａ）の下側面図である。
【００１３】
図１に示す保護カバー付きのタップ位置覗き窓１の基本構成は図５に示すタップ位置覗き窓１と同様の構成であり、窓枠取付座２２と透明部材２３と窓枠２４とパッキン２５ａ，２５ｂとからなる。窓枠取付座２２はケース６の側面に形成された切り欠き６ａの周円に溶接により取り付けられており、複数の窓枠取付用タップ穴２７が形成されている。窓枠２４には窓枠取付座２２に形成された窓枠取付用タップ穴２７に対応させてボルト貫通孔２８がそれぞれ形成されている。窓枠２４はボルト２９をボルト貫通孔２８に挿通させて窓枠取付用タップ穴２７に螺合させて締付けることにより取付けられている。
【００１４】
図３に示すように窓枠取付座２２の外周には、保護カバー固定金具３０がジュビリーバンド３１により締付け固定されている。保護カバー固定金具３０は図４（Ａ）（Ｂ）（Ｃ）に示すように周方向の一部に切込み部３２を有するリング状金具３３と該リング状金具３３の上端部に溶接により対向させて取付けられたＬ字状のボルト取付座３４ａ，３４ｂと該ボルト取付座３４ａ，３４ｂの上端面に取付けられた保護カバー支持用ボルト３５ａ，３５ｂとからなり、保護カバー支持用ボルト３５ａ，３５ｂは、頭付のボルトの頭をボルト取付座３４ａ，３４ｂの上端面に溶接により取付けられている。リング状金具３３のボルト取付座３４ａが位置する下端側には水抜き用の切欠き部３６が形成されている。リング状金具３３の上端部に対向させて取付けられている２つの保護カバー支持用ボルト３５ａ，３５ｂに対応させてボルト貫通孔３７ａが形成され、このボルト貫通孔３７ａに挿通される保護カバー支持用ボルト３５ａ，３５ｂの軸回りに回動可能とすると共に、自然落下を阻止するように保護カバー支持用ボルト３５ａ，３５ｂにより係止させる円弧状の切込み３７ｂが形成された保護カバー３７を、保護カバー支持用ボルト３５ａ，３５ｂに差し込み、蝶ナット３８ａ，３８ｂによりそれぞれ締付けて取付けている。
【００１５】
保護カバー３７は、非操作時、非点検時の際には、図１に示すように、タップ位置覗き窓１の窓枠２４（透明部材２３）を覆う位置で保護カバー支持用ボルト３５ｂにより係止されているが、操作時、点検時の際には、蝶ナット３８ａ，３８ｂの締付けをそれぞれ緩めることにより回動可能となるので、保護カバー３７を反時計回りに回転させ、窓枠２４（透明部材２３）を覆わない図２に示す位置で蝶ナット３８ａを締付けるようにする。
【００１６】
既設および新規の配電用自動電圧調整器に対し、タップ位置覗き窓１に保護カバー３７を取付ける手順としては、先ず窓枠２４の上端面にボルト取付座３４ａ，３４ｂの下端面をそれぞれ当接させると共に、リング状金具３３に形成されている切欠き部３６が下方側となるようにして窓枠取付座２２の外周に保護カバー固定金具３０を嵌め込み、次にジュビリーバンド３１を保護カバー固定金具３０の外周に嵌め込み、ジュビリーバンド３１をドライバー等で締付けて保護カバー固定金具３０を窓枠取付座２２の外周に固定し、次いで保護カバー３７に形成されている貫通孔３７ａを保護カバー支持用ボルト３５ａに、切込み３７ｂを保護カバー支持用ボルト３５ｂに差し込み、保護カバー支持用ボルト３５ａ，３５ｂに蝶ナット３８ａ，３８ｂをそれぞれ螺合させて締付けることにより取付けられる。
【００１７】
本実施形態のように、リング状金具３３に形成されている水抜き用の切欠き部３６が下方側となるようにして保護カバー固定金具３０を取付けておくと、窓枠取付座２２とリング状金具３３との間に入った雨水が溜まるのを防止でき、発錆による保護カバー固定金具３０の機械的強度が低下するのを防止することができる。また、保護カバー３７に形成されている切込み３７ｂが上方側となるようにして保護カバー３７を取付けておくと、操作時、点検時の際には、蝶ナット３８ａ，３８ｂの締付けをそれぞれ緩めて保護カバー３７を反時計回りに若干回転させれば自重により垂下した状態にさせることができ、窓枠２４（透明部材２３）を覆わない位置で蝶ナット３８ａを再度締付ける必要もなく、操作時、点検時の作業を容易に行うことができる。
【００１８】
上記の実施形態では、保護カバー支持用ボルトとして通常の頭付ボルトの頭をボルト取付座の上端面に溶接により取付けているが、取付座３４の上端面に頭のないスタッドボルトを取付けるようにしてもよい。
【図面の簡単な説明】
【００１９】
【図１】（Ａ）は本発明に係わる配電用自動電圧調整器の実施形態の要部を示す正面図、（Ｂ）は（Ａ）のＡ−Ａ線断面矢視図である。
【図２】図１の保護カバーを回転させた状態を示す正面図である。
【図３】本発明に係わる配電用自動電圧調整器の実施形態の要部を示す上面図である。
【図４】（Ａ）は本実施形態で用いる保護カバー固定金具を示す正面図、（Ｂ）は（Ａ）の左側面図、（Ｃ）は（Ａ）の下側面図である。
【図５】（Ａ）は従来のタップ位置覗き窓を有する配電用自動電圧調整器の要部を示す正面図、（Ｂ）は（Ａ）のＡ−Ａ線断面矢視図である。
【図６】（Ａ）は従来の保護カバー付きのタップ位置覗き窓を有する配電用自動電圧調整器の要部を示す正面図、（Ｂ）は（Ａ）のＡ−Ａ線断面矢視図である。
【符号の説明】
【００２０】
１                タップ位置覗き窓
６                ケース
６ａ              切り欠き
２２              窓枠取付座
２３              透明部材
２４              窓枠
２７              窓枠取付用タップ穴
２８              ボルト貫通孔
２９              ボルト
３０              保護カバー固定金具
３１              ジュビリーバンド
３３              リング状金具
３４ａ，３４ｂ    ボルト取付座
３５ａ，３５ｂ    保護カバー支持用ボルト
３７              保護カバー
３８ａ，３８ｂ    蝶ナット
【図１】
2010080470.tif 000003
【図２】
2010080470.tif 000004
【図３】
2010080470.tif 000005
【図４】
2010080470.tif 000006
【図５】
2010080470.tif 000007
【図６】
2010080470.tif 000008